(57)【要約】【課題】場所を取らずに安定して設置可能かつ袋体を十分に固定可能でありながら袋体の脱着が容易なごみ容器を提供する。【解決手段】符号１はごみ収容容器であり、ほぼ箱状に形成されている。ごみ収容容器１正面部に形成された取出口１９１には、上下方向に回動する扉部材１４が取出口１９１を略半分塞ぐよう形成されている。扉部材１４を閉じた時に形成される投入口１９の上下左右縁部には、袋体２を固定するための固定部材１００、１１０、１２０、１３０が蝶番により取着されている。各蝶番には、ばねを取り付けて復元するようにしてある。上記各固定部材１００等には、所要の間隔を開けて二つのほぞ孔１０１、１１１、１２１、１３１を設け、ごみ収容容器１の投入口１９縁部または扉部材１４の上記各ほぞ孔に対応する箇所には、ほぞ１０２、１１２、１２２、１３２を設けている。【選択図】      図３
2004269157.tif 000002
【特許請求の範囲】
【請求項１】
箱状体に形成された容器（１）であって、
容器正面部に取出口（１９１）を有し、
取出口（１９１）を一部塞ぐように開閉可能または着脱可能な止め部材（１４）が設けられており、
止め部材（１４）を閉じた時または取り付けた時に形成される投入口（１９）の縁部に袋体（２）を固定するための固定部材（１００、１１０、１２０、１３０）が設けられており、
固定部材（１００、１１０、１２０、１３０）は、一方の部材に凹部または孔（１０１、１１１、１２１、１３１）を設け、他方の部材に凸部（１０２、１１２、１２２、１３２）を設け、双方の部材で袋地（２１）を挟み、凹部または孔（１０１、１１１、１２１、１３１）に凸部（１０２、１１２、１２２、１３２）を差し込んで固定するよう構成されていることを特徴とする、
ごみ収容容器。
【請求項２】
箱状体に形成された容器（１）を、
上下方向（１５１、１５２、１５３）または横方向（１７２）に連結する手段を有する、
請求項１記載のごみ収容容器。
【請求項３】
箱状体に形成された容器（１）の底部が、
使用時に後部が下がって斜めになるよう形成されている、
請求項１または２記載のごみ収容容器。
【請求項４】
アウトリガ体（３２０）が設けられていることを特徴とする、
請求項１、２または３記載のごみ収容容器。
【請求項５】
側面部（１７）の形状が、内角が鋭角と鈍角で構成される平行四辺形である請求項１ないし４記載のごみ収容容器と、
上部の載置面（３１０）が傾斜した載置台（３）と、を備えており、
載置面（３１０）に上記ごみ収容容器（１）を載置したときには容器正面部と背面部が垂直になるよう構成してあることを特徴とする、
ごみ収容容器装置。
【請求項６】
側面部（１７）の形状が、内角が鋭角と鈍角で構成される平行四辺形である請求項１ないし３記載のごみ収容容器と、
上部の載置面（３１０）が傾斜しており、アウトリガ体（３２０）が設けられている載置台（３）と、を備えており、
載置面（３１０）に上記ごみ収容容器（１）を載置したときには、容器正面部と背面部が垂直になるよう構成してあることを特徴とする、
ごみ収容容器装置。
【請求項７】
載置台（３）は、横方向へ連結する手段（３７）を有する、
請求項５または６記載のごみ収容容器装置。
【請求項８】
ごみ収容容器（１）を多段に設けたことを特徴とする、
請求項５、６、または７記載のごみ収容容器装置。
【請求項９】
請求項１ないし４記載のごみ収容容器を多段に設けたことを特徴とする、
ごみ収容容器装置。
【発明の詳細な説明】
【０００１】
【発明の属する技術分野】
本発明はごみ収容容器およびごみ収容容器装置に関するものである。更に詳しくは、積み重ねて使用しても安定し、ごみを収容する袋体を簡易かつ確実に脱着できる手段を備えるものに関する。
【０００２】
【従来技術】
近年、環境問題およびごみの再資源化の観点から、自治体によるごみ収集の際に瓶、缶等の不燃物等を分別して回収している。自治体によっては不燃物を更に細かく分別し、有色びんと無色びんの分別、アルミニウム缶とスチール缶の分別、ＰＥＴ（ｐｏｌｙｅｔｈｙｌｅｎｅ  ｔｅｒｅｐｈｔｈａｌａｔｅ）ボトルその他プラスティック製品を分別して、資源ごみとして回収することにより、リサイクルの効率化を図っている。
しかし、自治体の回収は毎週あるわけではなく、月２回あるいは１回の場合もある。このような場合、家庭内では上記のように分別したごみが蓄積していくが、分別した資源ごみごとに収納容器を用意すると広い設置場所が必要となる。特に住宅の狭い都市部では収納場所に困る。
そこで、収納スペースを取らないように上方向へ積み重ねるタイプのごみ容器が発明されている。例えば下記の特許文献に示すようなものがある。
【０００３】
【特許文献１】
特開２０００−２５５７０１号公報
【０００４】
【発明が解決しようとする課題】
上記特許文献１にかかるごみ容器は、容器を設置するスペースを小さくするために上方向へ積み重ねるものである。したがって、高さが増していくと重心の位置が高くなって不安定となり、倒れるおそれがあった。
この問題を解決するには、下部に位置する容器を大きく形成し、上部に位置する容器は下部より小さく形成すれば、重心の位置は低くなるが、今度は設置スペースが大きくなるという新たな問題点が生じる。
【０００５】
また、上記特許文献１にかかる発明では、袋体の固定力が十分でなく、外れやすい問題点もあった。
【０００６】
（発明の目的）
そこで本発明の目的は、分別した資源ごみごとに収容容器を用意しなくても済むように、場所を取らずに安定して設置可能なごみ収容容器を提供することにある。また、他の目的としては、ごみを収容する袋体の固定力が十分でありながらも袋体の脱着が容易なごみ収容容器を提供することにある。
【０００７】
【課題を解決するための手段】
上記目的を達成するために講じた本発明の手段は次のとおりである。
第１の発明にあっては、
箱状体に形成された容器であって、
容器正面部に取出口を有し、
取出口を一部塞ぐように開閉可能または着脱可能な止め部材が設けられており、
止め部材を閉じた時または取り付けた時に形成される投入口の縁部に袋体を固定するための固定部材が設けられており、
固定部材は、一方の部材に凹部または孔を設け、他方の部材に凸部を設け、双方の部材で袋地を挟み、凹部または孔に凸部を差し込んで固定するよう構成されていることを特徴とする、
ごみ収容容器である。
【０００８】
第２の発明にあっては、
箱状体に形成された容器を、
上下方向または横方向に連結する手段を有する、
第１の発明に係るごみ収容容器である。
【０００９】
第３の発明にあっては、
箱状体に形成された容器の底部が、
使用時に後部が下がって斜めになるよう形成されている、
第１または第２の発明に係るごみ収容容器である。
【００１０】
第４の発明にあっては、
アウトリガ体が設けられていることを特徴とする、
第１、第２または第３の発明に係るごみ収容容器である。
【００１１】
第５の発明にあっては、
側面部の形状が、内角が鋭角と鈍角で構成される平行四辺形である第１ないし第４の発明に係るごみ収容容器と、
上部の載置面が傾斜した載置台と、を備えており、
載置面に上記ごみ収容容器を載置したときには容器正面部と背面部が垂直になるよう構成してあることを特徴とする、
ごみ収容容器装置である。
【００１２】
第６の発明にあっては、
側面部の形状が、内角が鋭角と鈍角で構成される平行四辺形である第１ないし第３の発明に係るごみ収容容器と、
上部の載置面が傾斜しており、アウトリガ体が設けられている載置台と、を備えており、
載置面に上記ごみ収容容器を載置したときには、容器正面部と背面部が垂直になるよう構成してあることを特徴とする、
ごみ収容容器装置である。
【００１３】
第７の発明にあっては、
載置台は、横方向へ連結する手段を有する、
第５または第６の発明に係るごみ収容容器装置である。
【００１４】
第８の発明にあっては、
ごみ収容容器を多段に設けたことを特徴とする、
第５、第６、または第７の発明に係るごみ収容容器装置である。
【００１５】
第９の発明にあっては、
第１ないし第４の発明に係るごみ収容容器を多段に設けたことを特徴とする、
ごみ収容容器装置である。
【００１６】
本発明において、「ごみ収容容器」の素材は例えば合成樹脂であるが、これに限定するものではなく、他の素材、例えば木材、またはステンレススチール、銅、アルミニウム等の金属等であってもよい。また、上記の素材を組み合わせたものであってもよい。
【００１７】
本発明において、ごみ収容容器は箱状体に形成され、側面部の形状が、例えば内角が鋭角と鈍角で構成される平行四辺形であるが、これに限定するものではない。他の実施例に係るごみ収容容器の形状としては、ごみ収容容器が略直方体に形成されて内部の底面に傾斜を設けたもの等であってもよい。また、上記他の実施例に係るごみ収容容器はアウトリガ体を具備したものであってもよい。
【００１８】
本発明において、ごみ収容容器の連結手段としては、例えばごみ収容容器の上部及び底部に嵌合構造を設けて、連結する手段が使用されるが、これに限定するものではなく、他の連結手段、例えば面ファスナー等により接合する連結手段や、フック等の留め金具により掛着する連結手段等の公知手段であってもよい。また、上記の手段を組み合わせたものであってもよい。
【００１９】
本発明において、「止め部材」としては、例えば扉部材が使用されるが、これに限定するものではなく、他の部材、例えば、嵌合構造を使用して着脱可能に形成した板状の部材等を用いてもよい。
【００２０】
本発明において、「袋体を固定するための固定部材」としては、例えば、固定部材を蝶番により容器本体に取着して回動可能として、蝶番にばねを取り付けて常態では閉じた状態を継続するようにしたものを使用することができる。具体的には、固定部材の一方の部材に凹部または孔を設け、他方の部材に凸部を設け、双方の部材で袋地を挟み、凹部または孔に凸部を差し込んで固定するよう構成されたもの使用することができる。なお、固定部材の形状及び袋体の固定方法は上記のものに限定するものではなく、例えば、固定部材及び本体縁部に連続する凹凸部（例えば鋸歯形状）を形成し、相互に嵌合させることによって袋地を挟んで固定する方法等であってもよい。
【００２１】
本発明において、「載置台」の素材は例えば合成樹脂であるが、これに限定するものではなく、他の素材、例えば木材、ステンレススチール、アルミニウム等の金属等であってもよい。また、上記の素材を組み合わせたものであってもよい。
また、本発明における載置台はアウトリガ体が設けられている形態のものでもよいし、アウトリガ体が設けられていない形態のものであってもよい。
載置台の載置面は傾斜したものに限定されず、例えば、ごみ収容容器が略直方体に形成されて内部の底面に傾斜を設けたもの等を載置するためのものとして、載置面を水平に設けることもできる。
【００２２】
本発明において、「アウトリガ体」とは、支持ベースの寸法を増し安定度を増加させるための張り出し装置の意味を含むものである。
「アウトリガ体」の素材は例えばアルミニウムであるが、これに限定するものではなく、他の素材、例えばステンレススチール、銅等の金属、木材または合成樹脂等であってもよい。また、上記の素材を組み合わせたものであってもよい。
また、アウトリガ体の断面視形状は例えばＬ字状であるが、これに限定されるものではなく、例えば他の形状、Ｈ字状、三角形、四角形その他多角形、あるいは円形や長円形であってもよい。
【００２３】
本発明において、載置台を横方向に連結する手段としては、例えば棒状の連結体が使用されるが、これに限定するものではなく、他の連結手段、例えば面ファスナー等により接合する連結手段や、フック等の留め金具により掛合する連結手段等の公知手段であってもよい。また、上記の手段を組み合わせたものであってもよい。
【００２４】
（作用・効果）
本発明に係るごみ収容容器は、双方の固定部材で袋地を挟み、凹部または孔に凸部を差し込んで固定するよう構成したことにより、袋の横方向のずれに対する摩擦力が大きく、袋が取り外れにくい。
これにより、袋体の固定力が十分で、しかも、袋体の脱着が容易にできる。
【００２５】
ごみ収容容器を上下方向または横方向に連結する手段を有するものは、ごみ収容容器の追加設置が可能となる。
【００２６】
ごみ収容容器の底部が、使用時に後部が下がって斜めになるよう形成されるものは、ごみが自然に奥方向に移動しやすくなり取出口から出てくることを防止できる。
【００２７】
ごみ収容容器にアウトリガ体が設けられているものは、安定して設置することができる。
【００２８】
ごみ収容容器の側面部の形状を、内角が鋭角と鈍角で構成される平行四辺形に形成したものと、上部の載置面が傾斜した載置台により構成し、載置面に上記ごみ収容容器を載置したときには容器正面部と背面部が垂直になるようにしたごみ収容容器装置は、場所を取らずに傾倒しにくい安定した設置が可能となり、かつ、ごみが自然に奥方向に移動しやすくなり取出口から出てくることを防止できる。
【００２９】
ごみ収容容器の側面部の形状を、内角が鋭角と鈍角で構成される平行四辺形に形成したものと、上部の載置面が傾斜しており、アウトリガ体が設けられている載置台により構成し、載置面に上記ごみ収容容器を載置したときには容器正面部と背面部が垂直になるようにしたごみ収容容器装置は、場所を取らずに傾倒しにくい安定した設置が可能となり、かつ、ごみが自然に奥方向に移動しやすくなり取出口から出てくることを防止できる。
【００３０】
ごみ収容容器装置の載置台が、横方向へ連結する手段を有するものは、傾倒しにくく安定した設置が可能となる。
【００３１】
ごみ収容容器を多段に設けたごみ収容容器装置は、収容量を増やしても容器を設置するスペースを少なくすることができる。
【００３２】
【発明の実施の形態】
本発明の実施の形態を図面に基づき更に詳細に説明する。
図１は本発明に係るごみ収容容器装置の一実施の形態を示す斜視図、
図２は本発明に係るごみ収容容器装置の一実施の形態を示す側面図、
図３は本発明に係るごみ収容容器の一実施の形態を示す斜視図、
図４は本発明に係るごみ収容容器の止め部材が開いた状態を示す斜視図、
図５は本発明に係る載置台の一実施の形態を示す斜視説明図、
図６は本発明に係るごみ収容容器の連結手段の一実施の形態を示す分解斜視説明図、
図７は本発明に係る載置台を横方向に連結する手段と、ごみ収容容器の嵌着手段の一実施の形態を示す分解斜視説明図、
図８は本発明に係るごみ収容容器の固定部材により袋体を取り付けた状態の拡大断面説明図である。
【００３３】
図１を参照する。図１に示すように、ごみ収容装置４は、ごみ収容容器１および５と載置台３を組み合わせたものである。
載置台３には、後述するように、出し入れ可能なアウトリガ体３２０が設けられている。アウトリガ体３２０の先端部には索条体取着部３２１が設けられている。索条体取着部３２１と、ごみ収容容器最上段に設けられている索条体取着部１７１を索条体３８で結んでいる。
【００３４】
図２を参照する。
ごみ収容容器装置４を構成するごみ収容容器１および５と載置台３は、上面板及び底部が、背面方向へ下がって傾斜するような形状に形成されている。
以下、各構成部材について説明する。
【００３５】
図３及び図４を主に参照する。
符号１はごみ収容容器であり、ほぼ箱状に形成されている。
ごみ収容容器の上面、底面、左右側面および背面は、合成樹脂製の板状の部材で形成されている。
ごみ収容容器１正面部には開口部が形成され、取出口１９１を構成している。
【００３６】
本実施の形態では、取出口１９１に取り付ける止め部材として、扉部材１４を採用している。
該扉部材１４は、所要の間隔を開けて設けられた二つの蝶番１４１により、取出口下縁部１４２に取り付けられている。上記扉部材１４は蝶番１４１を中心として上下方向に回動するように設けられている。
扉部材１４の左右各側部には、鉤状体１４３が各一ヶ所ずつ基部を回動可能に取り付けて設けられている。ごみ収容容器左右側面板１７の容器正面方向下部には、鉤状体受け部１４４が各一ヶ所ずつ設けられている。上記の鉤状体１４３を鉤状体受け部１４４に掛着することで、扉部材１４が取出口１９１の下側ほぼ半分を塞ぐよう形成されている。
【００３７】
扉部材１４を閉じた際、上部側に形成される投入口１９を構成する上下左右縁部には、袋体２を固定するための固定部材１００、１１０、１２０、１３０が取着されている。
上記固定部材１００、１１０、１２０、１３０は、蝶番１０３、１２３、１３３によって、投入口１９縁部または扉部材１４上縁部に取着されている。（固定部材１１０にかかる蝶番は図面では隠れているので符号は省略する。）
蝶番１０３には、ばね１０４（図８参照）を取り付けて、常態では閉じた状態を継続するように付勢してある。なお、図面中の記載は省略するが、固定部材１１０、１２０、１３０にかかる各蝶番にも、蝶番１０３と同様にばねが取り付けられている。
なお、本実施の形態においては、ごみ収容容器１本体および固定部材１００等に蝶番を固定する手段として木ねじ１０５が用いられているが、これに限定するものではなく、例えば接着剤、釘等の公知の固定部材であってもよい。
【００３８】
各固定部材１００、１１０、１２０、１３０には、所要の間隔を開けて二つのほぞ孔１０１、１１１、１２１、１３１が設けられている。
【００３９】
ごみ収容容器１の投入口１９を構成する縁部、または、扉部材１４上縁部の上記各ほぞ孔に対応する箇所には、ほぞ１０２、１１２、１２２、１３２が設けられている。
【００４０】
上部の固定部材１００は、所要の間隔を開けて設けられた二つの蝶番１０３により、投入口１９上方の縁部に取り付けられている。上記固定部材１００は、上下方向に回動するように設けられている。
【００４１】
右側部の固定部材１１０は、所要の間隔を開けて設けられた二つの蝶番（図面中では隠れている）により、投入口１９右側方の縁部に取り付けられている。上記固定部材１１０は、左右方向に回動するように設けられている。
左側部の固定部材１３０は、所要の間隔を開けて設けられた二つの蝶番１３３により、投入口１９左側方の縁部に取り付けられている。上記固定部材１３０は、左右方向に回動するように設けられている。
【００４２】
下部の固定部材１２０は、所要の間隔を開けて設けられた二つの蝶番１２３により、扉部材１４上方の縁部に取り付けられている。上記固定部材１２０は、前後方向に回動するように設けられている。
【００４３】
ごみ収容容器１の上面板１５正面側近傍には、嵌着体１５２が形成されている。嵌着体１５２は、左右方向と平行に設けてある。
ごみ収容容器１の上面板１５正面側中央近傍には、嵌着体１５３が形成されている。嵌着体１５３は、前後方向と平行に設けてある。
ごみ収容容器１の上面板１５背面側中央近傍には、嵌着体１５１が形成されている。嵌着体１５１には挿着口１５４が形成されている。
【００４４】
ごみ収容容器１の底面板には、前部脚部１６１および後部脚部１６３が形成されている。前部脚部１６１および後部脚部１６３は、所定の奥行、厚さを有し、幅はごみ収容容器１の幅と略同様である。
【００４５】
前方脚部１６１には中央近傍に切欠部（図面では見えない。図７に示したごみ収容容器５の切欠部５６２と同形状である。）が形成されている。当該切欠部の幅および高さは、嵌着体１５３が嵌って固定される大きさに形成されている。
【００４６】
後部脚部１６３の背面側の中央下端近傍には嵌着体１６４が形成されている。嵌着体１６４の形状は、嵌着体１５１の内側に形成されている挿着口１５４とほぼ同じで挿し込み可能な大きさに形成されている。
【００４７】
ごみ収容容器１の左右両側面板１７の形状は、内角が鋭角と鈍角で構成される平行四辺形に形成してある。側面板１７を水平な場所に置いた場合の側面視は、上面及び下面が水平かつ平行になり、正面及び背面は上記の置いた場所に対して容器正面部方向に傾斜した形状になる。
これは、ごみ収容装置４を載置面が傾斜している載置台３に設置して使用する際に、容器正面部と背面部が設置面に対して垂直になるようにし、ごみ収容容器１底部が後方斜め下に向かって傾斜するようにするためである。
【００４８】
側面板１７は、ほぼ格子状に形成されている。格子状の枠に囲まれた部分は、切り抜いて形成されている。
側面板１７の上方の縁部中央近傍には索条体取着部１７１及び連結具１７２が設けられている。
連結具１７２に連結するための鉤状体（図では見えない）は、反対側の側面板上方の縁部中央近傍であって連結具１７２に対応する箇所に設けられている。これらを連結することによりごみ収容容器１等を横方向に連結することができる。
なお、ごみ収容容器１等を横方向に連結する手段は、上記のものに限定するものではなく、他の連結手段、例えば面ファスナー等により接合する連結手段や、フック等の留め金具により掛合する連結手段等の公知手段であってもよい。また、上記の手段を組み合わせたものであってもよい。
【００４９】
なお、上記側面板はほぼ左右対称構造であるため、共通部分については、反対側の拡大図および説明は省略する。
【００５０】
図１、２を参照する。
下部に設けてあるごみ収容容器５は、箱状に形成されており、ごみ収容容器１とは構造が異なる。
ごみ収容容器５は、上部、底部、左右側部および背面部を、合成樹脂製の板部材で形成されている。正面部には開口部を有しており、開口部は取出口を兼ねる投入口５９を構成している。
ごみ収容容器５は、正面部に止め部材および固定部材が設けられていない。これは袋体２に入れるのに向かない大きな資源ごみ、例えば、四合瓶やワイン瓶、一升瓶等を入れておくのに止め部材等がない方が便利だからである。
なお、ごみ収容容器１および５を組み合わせてごみ収容容器装置４として使用する際には、ごみ収容容器５は下部に配置するのが望ましい。前述のようにごみ収容容器５には重量のある瓶類を入れるため、下部に配置すればごみ収容装置４全体の重心が低くなり、より安定して傾倒しにくくなるからである。
【００５１】
図５を参照する。
載置台３は、中空体であって扁平な箱状体に形成されている。
載置台３は、正面部３４に比して背面部３５が低く形成されている。そのため、上面部にあたる載置面３１０は、背面部３５側に向かい下がって傾斜している。
【００５２】
載置面３１０正面側近傍には、嵌着体３１２が形成されている。嵌着体３１２は、左右方向と平行に設けてある。
載置面３１０正面側中央近傍には、嵌着体３１３が形成されている。嵌着体３１３は、前後方向と平行に設けてある。
載置面３１０背面側中央近傍には、嵌着体３１１が形成されている。嵌着体３１１の正面側には、挿着口３１５が形成されている。
載置面３１０には、切欠部３１４が形成されている。切欠部３１４は、載置面３１０中央近傍に幅方向と平行に全幅にわたって形成されている。
【００５３】
両側の側面部３６中央近傍には、アウトリガ体３２０が設けられている。
アウトリガ体３２０の素材はアルミニウムであり、断面形状がＬ字状である。
アウトリガ体３２０は、載置台３内部に出し入れ可能に形成されている。
アウトリガ体３２０先端部近傍には、索条体取着部３２１が設けられている。
両側面部３６中央近傍には、索条体取着部３３１が設けられている。
なお、上記側面部３６は左右対称構造であるため、反対側の拡大図および説明は省略する。
【００５４】
本発明の実施の形態では、アウトリガ体３２０は載置台３に設けられているが、載置台を使用しない場合はごみ収容容器本体に設けてもよい。
また、本発明の実施の形態では、アウトリガ体３２０は載置台３内部に収納され引き出して使用するが、これに限定するものではでなく、アウトリガ体自体を入れ子式に形成して伸縮自在にするものであってもよいし、アウトリガ体を折り畳み式にする等の格納手段に係る公知技術を除外するものではない。
（作  用）
【００５５】
前出の図１ないし図８を参照して、本実施の形態で示すごみ収容容器装置の作用を説明する。
【００５６】
図６ないし図７を参照して本実施の形態で示すごみ収容容器１、５及び載置台３を組み合わせてごみ収容容器装置４を作る方法を説明する。
【００５７】
図６に示すように、ごみ収容容器１の上面板１５の背面側寄りには嵌着体１５１が形成されている。また、ごみ収容容器１の下部の背面側寄りには嵌着体１６４が形成されている。
【００５８】
下部側のごみ収容容器１に係る嵌着体１５１の挿着口１５４に、上部側のごみ収容器１の嵌着体１６４を正面側から挿入して嵌合させる。後部脚部１６２の背面側縁部は、上記挿着口１５４の前面に接面する。これにより、上に配置したごみ収容容器１は、背面側に滑り落ちることがないよう固定される。
【００５９】
上記のように後部の嵌着体１６４を嵌合させた後、前部脚部１６１を載置する。
なお、図７はごみ収容容器５と載置台３の連結手段を示しているが、前部脚部５６１、切欠部５６２と嵌着部３１２、嵌着部３１３の嵌合は、実質的にごみ収容容器１の連結の場合と同じであるので、図７を参照して以下説明する。
【００６０】
下部側のごみ収容容器１に係る嵌着部１５２（３１２）は、上部側のごみ収容容器１に係る前部脚部１６１（５６１）の正面側縁部と嵌着する。これにより前部脚部１６１（５６１）が正面方向に動かないよう固定される。
下部側のごみ収容容器１に係る嵌着部１５３（３１３）は、上部側のごみ収容容器１に係る前部脚部１６１（５６１）に形成された切欠部１６２（５６２）と嵌合する。これにより前部脚部１６１（５６１）が左右方向に動かないよう固定される。
なお、載置台３とごみ収容容器１または５、ごみ収容容器１および５、ごみ収容容器５同士を連結する際にも、上記と同様の方法により連結することができる。
上記連結手段を採用することにより、簡易な手段でごみ収容容器を多段に積み重ねる追加設置が可能となる。
これにより、ごみ収容容器の設置場所の省スペース化を図ることができる。また、必要な収容量に応じて、ごみ収容容器１または５が一段のみであってもよい。
【００６１】
図７に示すように、載置台３は横方向に連結することができる。
双方の載置台３に形成された切欠部３１４に、載置台連結体３７を嵌め込んで連結する。連結体３７の下面端部近傍には、それぞれストッパー３７１が設けられている。ストッパー３７１は側面部の内壁に当接することで、双方の載置台３が動かないよう固定する。
載置台３を横方向に連結して使用することにより、ごみ収容容器装置全体の収容量を増やすことができ、底面積が広くなることで傾倒しにくくなる。
【００６２】
図８を参照して、袋体の固定方法を説明する。
ごみ収容容器１の投入口１９から袋体２を開口させた状態で入れ込み、投入口１９の大きさに合わせて袋体２の開口部縁部２１を拡げる。
袋体２に係る開口部縁部２１を、固定部材１００で挟み込む。
その際、固定部材１００に形成されたほぞ孔１０１に、開口部縁部２１が被せられたほぞ１０２が、開口部縁部２１の袋地を間に挟んで挿入される。
蝶番１０３は、ばね１０４によって閉じ方向へ付勢されている。そのため、上記ほぞ孔１０１とほぞ１０２に挟まれた開口部縁部２１の袋地は凹凸部形状に沿うように変形し、ずれ方向の摩擦力が大きくなるため、外れにくくなる。
同様に、他の固定部材１１０、１２０、１３０で開口部縁部２１の袋地を挟み込んで固定すると、袋体２は開口した状態で投入口１９に固定される。
【００６３】
図１に示すように、ごみ収容装置４は、ごみ収容容器１および５と載置台３を組み合わせたものである。各構成部材の組み合わせ方法は前述の通りである。
このように、ごみ収容容器１および５を多段に組み合わせると、屋外では風等により傾倒するおそれがある。
そこで、載置台３の左右に設けられているアウトリガ体３２０を、それぞれ引き出す。アウトリガ体３２０によってごみ収容容器装置４のバランスが安定し、左右に傾倒しにくくなる。
なお、アウトリガ体３２０を引き出した状態で固定してもよい。その場合の固定手段としては、螺子を締め付けることによる固定手段、フック等により係止する固定手段等の公知手段を採用することができる。
【００６４】
また、図１中に示されているように、アウトリガ体の索条体取着部３２１と、ごみ収容容器最上段に設けられている索条体取着部１７１を索条体３８で結ぶことにより、アウトリガ体３２０による傾倒防止作用と、索条体３８によるごみ収容容器の固定作用が相乗効果となり、多段に重ねて使用しても安定する。
なお、ごみ収容容器１あるいは５を一段あるいは二段で使用する際は、索条体取着部１７１と、側面部３６中央近傍に形成された索条体取着部３３１を、索条体３８で結ぶようにする。
これは、ごみ収容容器装置４の高さが低い場合は、前述のアウトリガ体３２０を使用しなくとも、索条体３８による固定作用で十分傾倒防止可能だからである。
また、ごみ収容容器装置４の設置場所が狭い場合等にはアウトリガ体３２０を引き出して使用せずに、図２に示すように、索条体取着部１７１と、側面部３６中央近傍に形成された索条体取着部３３１を、索条体３８で結んでもよい。簡易ではあるが、十分に傾倒防止可能だからである。
【００６５】
図２を参照する。ごみ収容容器装置４に係る各ごみ収容容器底面板は、背面方向に向かって傾斜している。これにより、投入したごみが自然に奥方向に移動して投入口１９から出てくることを防止できる。
【００６６】
図９は本発明に係るごみ収容容器の他の実施の形態にかかる連結手段の分解説明図
図１０は図９に示す連結手段を上面板裏側から見た断面説明図である。
図９ないし図１０を参照して、ごみ収容容器を多段に重ねて連結する手段の、他の実施の形態を説明する。
【００６７】
図９を参照する。なお、図面での記載は省略するが、ごみ収容容器６の連結手段にかかる部分以外の構造は、ごみ収容容器１と同様である。
【００６８】
ごみ収容容器６は底部の三ヶ所に脚部を有する。
各脚部の位置は、容器正面側の左右二ヶ所に前部脚部６１０、６２０が設けられており、容器背面側中央部一ヶ所に後部脚部６３０が設けられている。
各脚部６１０、６２０、６３０の形状は、脚部高さ方向の中央近傍に段差を設け、下部側が細くなった形状に形成されている。
各脚部６１０、６２０、６３０は、上部に比べ下部がやや細く形成されている。
上記各脚部の上部はスペーサー部６１１、６２１、６３１となっている。
上記各脚部の下部は嵌入部６１３、６２３、６３３となっている。
上記各脚部の段差の部分は係止段部６１２、６２２、６３２となっている。
前部脚部６１０、６２０の嵌入部６１３、６２３には、切欠部６１４、６２４が形成されている。切欠部６１４、６２４の位置は係止段部６１２、６２２近傍の嵌入部６１４、６２４上部であって、各脚部６２０、６３０正面側は面の中央方向寄りに２分の１、内側面側は面の中央部から正面側の２分の１の位置である。
後部脚部６３０にかかる嵌入部６３３には、切欠部６３４が形成されている。切欠部６３４の位置は係止段部６３２近傍の嵌入部６３３上部であり、正面側の面全部および左右両側面部の正面側２分の１の位置まで切欠が形成されている。
【００６９】
なお、本実施の形態にかかる脚部の形状、脚部の数および切欠の位置に限定するものではなく、例えば、脚部の形状は三角柱、多角形の柱体または円柱体であってもよいし、脚部の数は限定しない。また、切欠部の位置は、脚部の形状によって嵌着に適した位置であればよい。
【００７０】
図９に示すようにごみ収容容器の上面板６７には、三カ所の嵌入口が形成されている。
容器正面方向の二カ所には前部嵌入口６４、６５が貫通して設けられており、容器背面側中央部一ヶ所には後部嵌入口６６が設けられている。
上記嵌入口は、前述の各脚部６１０、６２０、６３０に対応する位置に形成されている。
各嵌入口６４、６５、６６は、前述の各嵌入部６１４、６２４、６３４がちょうど嵌る大きさに形成されている。
【００７１】
図１０を参照する。
ごみ収容容器６の上面板６７の裏側には、嵌着体７が設けられている。
嵌着体７は、ほぼＴ字状に形成されている。
嵌着体７のごみ収容容器の正面側縁部には、スライドさせる際に使用する引手部７１１が形成されている。引手部７１１は、嵌着体７の他の部分よりも肉厚に形成されている。
嵌着体７は、嵌着体案内部材７２０により、容器上面板裏側に取り付けられており、前後にスライドするよう案内される。
【００７２】
（作  用）
嵌着体７を容器正面方向にスライドさせ、各脚部６１０、６２０、６３０を嵌入可能にしておく。（図１０で示す想像線の位置に嵌着体７を位置させる。）
上方に位置するごみ収容容器６に係る前部脚部６１０、６２０および後部脚部６３０を、下方に位置するごみ収容容器６の上面板に形成された前部嵌入口６４、６５及び後部嵌入口６６に、嵌入させる。
このとき、各脚部の係止段部６１２、６２２、６３２が、嵌入口６４、６５、６６の縁部に当接して係止する。嵌入部６１３、６２３、６３３は容器内部へ入り込み、切欠部６１４、６２４、６３４が上面板６７の裏面から出る。
嵌着体７を容器背面方向（図１０の矢印と反対方向）にスライドさせる。スライドさせる際には、引手部７１１を使用すると力が入れやすい。
前述の各脚部６１０、６２０、６３０に形成された切欠部６１４、６２４、６３４に、嵌着体７の各嵌合部７１２、７１３、７１４が挿入されて、嵌合する。
これにより、各脚部６１０、６２０、６３０は上方向に抜けなくなり、上下の各ごみ収容容器６は連結される。
【００７３】
上記の連結手段を採用することにより、簡易な手段でごみ収容容器を多段に積み重ねる追加設置が可能となる。
これにより、ごみ収容容器の設置場所の省スペース化を図ることができる。
また、ごみ収容容器１および５の連結手段とは相違して、索条体による固定が不要で容器同士の連結が強固なため、多段化しても崩れにくい。
【００７４】
本実施の形態では、容器上面および底部は、水平かつ平行に形成されており、容器内部の底部は背面側に向かい下がって傾斜するよう形成されている。これにより、投入したごみが自然に奥方向に移動しやすくなり投入口から出てくることを防止できる。
ただし、ごみ収容容器６の構造は、ごみ収容容器１または５と同様に、上記形状に限定するものではない。
【００７５】
また、本実施の形態にかかるごみ収容容器６を設置する際には、上面部に脚部の嵌入口が形成された載置台（図面は省略する）を使用する。
この載置台およびごみ収容容器６を組み合わせて、ごみ収容容器装置（図面は省略する）として使用する。この載置台には、前述の載置台３と同様に、アウトリガ体が設けられている。
ただし、この組み合わせに限定するものではなく、例えば、前述の実施の形態のようにごみ収容容器本体にアウトリガ体を設け、これらのごみ収容容器を組み合わせてごみ収容容器装置として使用してもよい。
なお、載置台とごみ収容容器６またはごみ収容容器５（図９、１０に示した連結手段を用いたもので、図面は省略する）、ごみ収容容器６およびごみ収容容器５、ごみ収容容器５同士を組み合わせる際にも、上記と同様の方法により組み合わせることで、ごみ収容容器装置とすることができる。
【００７６】
また、本実施の形態にかかるごみ収容容器６では、上下方向に連結する手段として、スライドする嵌着体７を使用して、各脚部に形成された切欠部６１４、６２４、６３４に嵌着体７を嵌合させて固定する手段が用いているが、これに限定するものではない。他の手段、例えば、脚部に形成された相対または貫通する孔にスナップピン等を挿入して固定する手段や、脚部周方向に形成された嵌合溝にスナップリング、またはＥリング等を嵌合させて固定する手段等を採用してもよい。
【００７７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００７８】
【発明の効果】
本発明は上記構成を備え、次の効果を有する。
（１）本発明に係るごみ収容容器は、双方の固定部材で袋地を挟み、凹部または孔に凸部を差し込んで固定するよう構成したことにより、袋の横方向のずれに対する摩擦力が大きく、袋が取り外れにくい。
これにより、袋体の固定力が十分で、しかも、袋体の脱着が容易にできる。
（２）ごみ収容容器を上下方向または横方向に連結する手段を有するものは、ごみ収容容器の追加設置が可能となる。
また、ごみ収容容器を多段に設けたごみ収容容器装置は、収容量を増やしても容器を設置するスペースを少なくすることができる。
（３）ごみ収容容器の底部が、使用時に後部が下がって斜めになるよう形成されるものは、ごみが自然に奥方向に移動しやすくなり取出口から出てくることを防止できる。
（４）ごみ収容容器にアウトリガ体が設けられているものは、安定して設置することができる。
また、ごみ収容容器装置の載置台が、横方向へ連結する手段を有するものは、傾倒しにくく安定した設置が可能となる。
（５）ごみ収容容器の側面部の形状を、内角が鋭角と鈍角で構成される平行四辺形に形成したものと、上部の載置面が傾斜した載置台により構成し、載置面に上記ごみ収容容器を載置したときには容器正面部と背面部が垂直になるようにしたごみ収容容器装置は、場所を取らずに傾倒しにくい安定した設置が可能となり、かつ、ごみが自然に奥方向に移動しやすくなり取出口から出てくることを防止できる。
（６）ごみ収容容器の側面部の形状を、内角が鋭角と鈍角で構成される平行四辺形に形成したものと、上部の載置面が傾斜しており、アウトリガ体が設けられている載置台により構成し、載置面に上記ごみ収容容器を載置したときには容器正面部と背面部が垂直になるようにしたごみ収容容器装置は、場所を取らずに傾倒しにくい安定した設置が可能となり、かつ、ごみが自然に奥方向に移動しやすくなり取出口から出てくることを防止できる。
【図面の簡単な説明】
【図１】本発明に係るごみ収容容器装置の一実施の形態を示す斜視図。
【図２】本発明に係るごみ収容容器装置の一実施の形態を示す側面図。
【図３】本発明に係るごみ収容容器の一実施の形態を示す斜視図。
【図４】本発明に係るごみ収容容器の止め部材が開いた状態を示す斜視図。
【図５】本発明に係る載置台の一実施の形態を示す斜視説明図。
【図６】本発明に係るごみ収容容器の連結手段の一実施の形態を示す分解斜視説明図。
【図７】本発明に係る載置台を横方向に連結する手段と、ごみ収容容器の嵌着手段の一実施の形態を示す分解斜視説明図。
【図８】本発明に係るごみ収容容器の固定部材により袋体を取り付けた状態の拡大断面説明図。
【図９】本発明に係るごみ収容容器の他の実施の形態にかかる連結手段の分解説明図。
【図１０】図９に示す連結手段を上面板裏側から見た断面説明図。
【符号の説明】
１    ごみ収容容器
１００  固定部材
１０１  ほぞ孔
１０２  ほぞ
１０３  蝶番
１０４  ばね
１０５  木ねじ
１１０  固定部材
１１１  ほぞ孔
１１２  ほぞ
１２０  固定部材
１２１  ほぞ孔
１２２  ほぞ
１２３  蝶番
１３０  固定部材
１３１  ほぞ孔
１３２  ほぞ
１３３  蝶番
１４    扉部材
１４１  蝶番
１４２  取出口縁部
１４３  鉤状体
１４４  鉤状体受け部
１５    上面板
１５１  嵌着体
１５２  嵌着部
１５３  嵌着部
１５４  挿着口
１６１  前部脚部
１６２  切欠部
１６３  後部脚部
１６４  嵌着体
１７    側面板
１７１  索条体取着部
１７２  連結具
１９    投入口
１９１  取出口
２    袋体
２１    開口部縁部
３    載置台
３１０  載置面
３１１  嵌着体
３１２  嵌着部
３１３  嵌着部
３１４  切欠部
３１５  挿着口
３２０  アウトリガ体
３２１  索条体取着部
３３１  索条体取着部
３４    正面部
３５    背面部
３６    側面部
３７    載置台連結体
３７１  ストッパー
３８    索条体
４    ごみ収容容器装置
５    ごみ収容容器
５６１  前部脚部
５６２  切欠部
５６３  後部脚部
５９    投入口
６    ごみ収容容器
６１０  前部脚部
６１１  スペーサー部
６１２  係止段部
６１３  嵌入部
６１４  切欠部
６２０  前部脚部
６２１  スペーサー部
６２２  係止段部
６２３  嵌入部
６２４  切欠部
６３０  後部脚部
６３１  スペーサー部
６３２  係止段部
６３３  嵌入部
６３４  切欠部
６４    前部嵌入口
６５    前部嵌入口
６６    後部嵌入口
６７  上面板
７    嵌着体
７１１  引手部
７１２  前部嵌合部
７１３  前部嵌合部
７１４  後部嵌合部
７２０  嵌着体案内部材
【図１】
2004269157.tif 000003
【図２】
2004269157.tif 000004
【図３】
2004269157.tif 000005
【図４】
2004269157.tif 000006
【図５】
2004269157.tif 000007
【図６】
2004269157.tif 000008
【図７】
2004269157.tif 000009
【図８】
2004269157.tif 000010
【図９】
2004269157.tif 000011
【図１０】
2004269157.tif 000012